(57)【要約】【課題】  電子機器本体１００側とリモコン１０側で切替ＳＷが一致しない場合や、キーロックの設定が行われていた場合は、動作しないため、リモコン１０もしくは電子機器本体１００が故障したと誤解され、ナンセンスコールの一因になっていた。【解決手段】  リモコン１０を有し、使用するリモコンコードを電子機器１００本体側及びリモコン１０側の双方の切替ＳＷによりＳＷ番号を切換ることにより送受信されるリモコンコードが切替可能な電子機器１００において、前記リモコン１０から送信されたリモコンコードを受信した際に、前記リモコン１０側で設定されたＳＷ番号と電子機器本体側で予め設定されたＳＷ番号とを比較し、一致する場合は当該リモコンコードに該当する動作を行う手段１１３と、前記ＳＷ番号が不一致である場合、ＳＷ番号の不一致のため受付不可である旨を報知する第１の報知手段１１２とを具備する。【選択図】      図１
2009239720.tif 000002
【特許請求の範囲】
【請求項１】
リモコンを有し、使用するリモコンコードを電子機器本体側及びリモコン側の双方の切替ＳＷによりＳＷ番号を切換ることにより送受信されるリモコンコードが切替可能な電子機器において、
前記リモコンから送信されたリモコンコードを受信した際に、前記リモコン側で設定されたＳＷ番号と電子機器本体側で予め設定されたＳＷ番号とを比較し、一致する場合は当該リモコンコードに該当する動作を行う手段と、
前記ＳＷ番号が不一致である場合に、ＳＷ番号の不一致のため受付不可である旨を報知する第１の報知手段と
を具備することを特徴とする電子機器。
【請求項２】
前記第１の報知手段は、前記電子機器が電源オン中の場合、両者のＳＷ番号が不一致のため受付不可である事を、ＯＳＤ表示により通知することを特徴とする請求項１記載の電子機器。
【請求項３】
前記第１の報知手段は、前記電子機器が電源オフ中の場合、ＬＥＤ表示で通知する事を特徴とする請求項１記載の電子機器。
【請求項４】
誤操作を防止するために、操作キーの操作を受け付けない機能であるキーロック機能の設定が可能な電子機器において、
キーロック機能が設定されている状態で、前記操作キーが押された時に、キーロック機能が設定されている旨を報知する第２の報知手段と
を具備することを特徴とする電子機器。
【請求項５】
前記第２の報知手段は、前記電子機器の電源オン中の場合、キーロック中である事をＯＳＤ表示により通知することを特徴とする請求項４記載の電子機器。
【請求項６】
前記第２の報知手段は、前記電子機器が電源オフ中の場合、ＬＥＤ表示により通知することを特徴とする請求項４記載の電子機器。
【請求項７】
前記請求項１ないし請求項６のいずれかに記載の電子機器を組み込んだ構成としたことを特徴とするプロジェクタ。
【発明の詳細な説明】
【技術分野】
【０００１】
本発明は、リモコンによる操作、またはキーロック機能の設定可能な電子機器または及びプロジェクタに関する。
【背景技術】
【０００２】
従来より、電子機器に対して遠隔操作を行えるようにするため、リモコンが用いられている。同種の複数の機器が並べられた状態でリモコンを使用する場合、他の機器が誤動作しないようにする方法として、電子機器本体がリモコン側を識別できるようにするため、ＩＤ番号等が設定されているものがあった。
【０００３】
また、このような電子機器本体とリモコンとの識別を簡易に行うため、ＮＵＭキーと数字キーとの組み合わせで、リモコンを識別するようにしているものがあった。（例えば、特許文献１）。
【特許文献１】特開２００７−２７４６６２号公報
【発明の開示】
【発明が解決しようとする課題】
【０００４】
しかしながら、従来の構成では、ＮＵＭキーと数字キーとの組み合わせが、電子機器本体側とリモコン側で一致しない場合はリモコン操作に反応しないようにしていた。このため、たとえば、別の操作者等によってリモコンもしくは電子機器本体の設定が変更されてしまうと、リモコンもしくは電子機器本体が故障したと誤解され、ナンセンスコールの一因になっていた。
【０００５】
また、キーロック機能についても同様で、別の操作者等によりキーロックが設定されていると、キー操作受け付けないため、電子機器本体が故障したと誤解され、ナンセンスコールの一因になるという問題点があった。
【０００６】
本発明は、上記事情によりなされたもので、その目的は、リモコンもしくは電子機器本体からの操作を受付られない状態のときに、その旨を操作者に対して報知することができる電子機器を提供することを目的とする。
【課題を解決するための手段】
【０００７】
上記目的を達成するために本発明は、リモコンを有し、使用するリモコンコードを電子機器本体側及びリモコン側の双方の切替ＳＷによりＳＷ番号を切換ることにより送受信されるリモコンコードが切替可能な電子機器において、前記リモコンから送信されたリモコンコードを受信した際に、前記リモコン側で設定されたＳＷ番号と電子機器本体側で予め設定されたＳＷ番号とを比較し、一致する場合は当該リモコンコードに該当する動作を行う手段と、前記ＳＷ番号が不一致である場合、ＳＷ番号の不一致のため受付不可である旨を報知する第１の報知手段とを具備することを特徴とする。
【０００８】
また、上記目的を達成するために本発明は、誤操作を防止するために、操作キーの操作を受け付けない機能であるキーロック機能の設定が可能な電子機器において、キーロック機能が設定されている状態で、前記操作キーが押された時に、キーロック機能が設定されている旨を報知する第２の報知手段とを具備することを特徴とする。
【０００９】
このような構成を有することにより、電子機器本体とリモコンでのリモコンコードの不一致や、キーロック機能の設定等により、操作が行えない場合に、操作者に対して報知をすることができ、故障したと誤解されることを防止することができる。
【発明の効果】
【００１０】
以上説明したように、本発明によると、リモコンコードの不一致やキーロック機能の設定による誤判断が解消される為、メーカへのナンセンスコールが大幅に減る効果が期待できる。
【発明を実施するための最良の形態】
【００１１】
以下、図面を参照して本発明の実施の形態を詳細に説明する。
本発明の実施例１について説明する。
図１は、本実施例は、プロジェクタに本発明を適用した場合の実施例であり、電子機器の全体構成を示すブロック図である。
本実施例はプロジェクタに用いた場合であり、プロジェクタ本体１００と、遠隔から操作を行うためのリモコン１０から構成される。
プロジェクタ本体１００は、バス１０１を中心に、前記リモコン１０から送出された信号を受信する為のリモコン受光素子１０２と、受信したリモコンコードをデコードするデコード手段１０３と、プロジェクタ本体１００に設置された各種の操作キー１０４と、押下された操作キーからのキーコードをデコードするキーデコード手段１０５、セット本体に設置されたＬＥＤ１０６と、左記ＬＥＤ１０６を駆動するＬＥＤ駆動手段１０７、ユーザが選択したリモコンコードＳＷ番号やキーロック状態を始めとするユーザ設定値を記憶するＥＥＰＲＯＭ１０８と、ＥＥＰＲＯＭ １０８から読み出したデータ展開するＲＡＭ１０９と、リモコンコード表やキーコードテーブル等のデータを記憶するＲＯＭ１１０と、外部等から入力されたＲＧＢ信号やビデオ信号等の映像信号をデコードしてデジタル信号に変換後、スケーリング等の映像処理を行う映像信号処理手段１１１と、映像信号にＯＳＤを重畳して表示するＯＳＤ重畳手段１１２と、上記各手段を制御するＣＰＵ１３と、映像信号処理手段１１１で映像処理された画像データに基づく投射光を出射する投射レンズ１１４と、電源ＳＷ１１５から構成される。
【００１２】
ここで操作キー１０４は、例えばメニューボタン、音量制御、入力切替、キーストーン補正等の複数のスイッチ等で構成される。ここで、プロジェクタ本体１００側のリモコンコード切換ＳＷ番号の設定や、キーロック状態の設定は、操作キー１０４の中のメニューボタンを押すことにより、メニュー上で自由に設定できるようになっている。また、その設定結果は一時的にＲＡＭ１０９にセーブされた後、電源オフ時にＲＡＭ１０９からＥＥＰＲＯＭ１０８にコピーされる。
【００１３】
リモコン１０にはリモコンコードを切り替える切替スイッチ１１が設けられ、送出するリモコンコードを切り替えて送出する機能を持っている。
図２はＡＣ電源を投入した時のプロジェクタ本体１００の動作を示すフローチャートである。
電源ＳＷ１１５によりＡＣ電源を投入すると、ＣＰＵ１１３はＥＥＰＲＯＭ１０８から、ユーザが選択したリモコンコードＳＷ番号と、キーロック状態等のユーザ設定データを読出し、ＲＡＭ１０９に展開する（Ｓ１０１）。その後、ＣＰＵ１１３はプロジェクタ本体１００の起動動作を開始する（Ｓ１０２）。
【００１４】
図４はリモコン10から送出されたリモコン信号を受信した時のプロジェクタ本体１００の動作を示すフローチャートである。
ＣＰＵ１１３は、リモコンコードデコード手段１０３でデコードし、リモコンコードを抽出する（Ｓ２０１）。
ここで、リモコン信号のデータフォーマットを図５を用いて説明する。リモコンコードとしてこれまでに様々なデータフォーマットが提案されているが、今日最も普及しているものが、図５に示すＮＥＣフォーマットである。このフォーマットはリモコン信号の始まりを示すリーダ信号と、４バイトのリモコンコード、リモコン信号の終わりを示すストップ信号から構成されている。
【００１５】
次に、ＣＰＵ１１３は、ＲＡＭ１０９上に展開されているプロジェクタ本体１００側のリモコンＳＷ番号情報を確認する。そして、ＲＯＭ１１０上のリモコンコードテーブル内で、前記プロジェクタ本体１００側のリモコンＳＷ番号情報に対応する部分のリモコンコードテーブル内を参照し、先ほど受信したリモコンコードをサーチしていく（Ｓ２０２）。
【００１６】
ここで、リモコンコードテーブルの構成例を図６を用いて説明する。
各リモコンコードは、リモコンＳＷ番号と対応する機能とによりコードが決められており、コード１１〜１ＭがリモコンＳＷ番号が１のときのリモコンデータのテーブル、コード２１〜２ＭがリモコンＳＷ番号が２のときのリモコンデータのテーブル・・・となっている。
【００１７】
従ってＳ２０２において、前記プロジェクタ本体１００側のリモコンＳＷ番号情報が２の場合は、リモコンコードテーブルの２１〜２Ｍの範囲の中で、リモコン１０から受信したリモコンコードをサーチしていく。
【００１８】
もし、ＲＯＭ１１０の上記リモコンテーブル上の対応部分に一致するコードがあれば（Ｓ２０３）、ＣＰＵ１１３は検索されたリモコンコードテーブルの機能フィールドに記載されている機能の実行を指示する（Ｓ２０４）。
【００１９】
逆に上記サーチ範囲内で、リモコンテーブル上の対応部分にテーブル上に一致するレコードがなければ、次に、プロジェクタ本体１００が、映像表示中か否か判定する（Ｓ２０５）。
【００２０】
ここで映像表示中ならば、ＣＰＵ１１３は、ＯＳＤ重畳手段１１２に対して、リモコン１０側、プロジェクタ本体１００側双方の切換ＳＷの設定状態が不一致で、リモコン受付不可の可能性がある事を示すＯＳＤ表示情報を作成させ、このＯＳＤ表示情報を、映像信号処理手段に出力することにより、映像信号に重畳し、投射レンズ１１４を介して、ＯＳＤ表示を行う（Ｓ２０６）。図７に上記Ｓ２０６におけるＯＳＤ表示例を示す。なお、当該ＯＳＤ表示は、ユーザがリモコンコードの切り替えが行われるまで表示し続けてもよいが、一定時間表示させて消えるようにしてもよい。
【００２１】
一方、Ｓ２０６で映像を表示していない（スタンバイ中）場合は、ＣＰＵ１１３はＬＥＤ駆動手段１０７を制御してＬＥＤ１０６を予め決められたパターンで点灯させて通知する（Ｓ２０７）。ＬＥＤ１０６の点灯の一例としては、ＯＮスタンバイのＬＥＤ（例として、電源ＯＦＦ時は消灯、スタンバイ時は緑、映像投影中はオレンジ等に点灯するＬＥＤ）を、３回程度点滅させる等の方法がある。
【００２２】
このように、プロジェクタ本体１００とリモコン１０で、リモコンＳＷの番号が一致しない場合は、投影画面上へのＯＳＤ表示、またはＬＥＤ表示を行うことでユーザに対して報知ができるため、リモコンスイッチの切り替えをユーザに促すことができる。
【００２３】
次に本発明の実施例２について説明する。本実施例は、キーロック機能に関する実施例である。ここで、キーロック機能とは、プロジェクタ本体１００で誤操作を防止するため、メニューによりキー操作を受け付けないモードである。本実施例についても、プロジェクタに適用した場合を用いて説明する。
【００２４】
図８はキーロック機能に関するのプロジェクタ本体１００の動作を示すフローチャートである。
まず、先に説明した図２のフローにより、プロジェクタ本体１００に電源投入されると、キーロック機能の設定の有無のデータがＥＥＰＲＯＭ１０８からＲＡＭ１０９上に展開されている。
【００２５】
この状態で、ＣＰＵ１１３は、操作キー１０４が押された事をキーデコード手段１０５を経由して検出すると（Ｓ３０１）、ＲＡＭ１０９上に展開されているキーロック状態データを読み出して、キーロック機能の設定中か否か判定する（Ｓ３０２）。
【００２６】
ここで、プロジェクタ本体１００がキーロック設定中でなければ、ＣＰＵ１１３は、ＲＯＭ１１０に記憶されているキーコード変換テーブルをサーチして実行すべき機能を求め、実行を指示する（Ｓ３０３）。ここで、図９にキーコード変換テーブルを示す。図に示すように、コードと実行する機能が対応付けられている。
【００２７】
Ｓ３０２において、プロジェクタ本体１００がキーロック中であれば、プロジェクタ本体１００が映像表示中か否か判定する（Ｓ３０４）。映像表示中であればキーロック中である事を示すＯＳＤ表示を一定時間行い終了する（Ｓ３０５）。図１０に上記（Ｓ３０５）におけるのＯＳＤ表示例を示す。
【００２８】
Ｓ３０４において、スタンバイ中であれば、ＬＥＤ駆動手段１０７を制御してＬＥＤ１０６を予め決められたパターンで点灯させる事で、ユーザに対してキーロック中である事を示す（Ｓ３０６）。
【００２９】
このように、プロジェクタ本体１００でキーロック機能が設定されている場合は、操作キー１０４が操作されたとき、ＯＳＤ表示またはＬＥＤ表示により、ユーザに対して報知ができるため、キーロックの解除操作をユーザに促すことができる。
【００３０】
また、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。
【００３１】
例えば、ＯＳＤ表示とＬＥＤの表示の変わりに、ビープ音等のサウンドで通知する手段も考えられる。また、ＯＳＤ表示またはＬＥＤの表示とビープ音との組み合わせにより、ユーザに対して報知を行ってもよい。
【００３２】
さらに、異なる実施の形態に係る構成要素を適宜組み合わせても良いものである。
また、上記各実施例では、電子機器の一例としてプロジェクタに用いた場合を説明するが、リモコンを使用する電子機器やキーロック機能を有する電子機器であれば、全てに適用は可能である。
【図面の簡単な説明】
【００３３】
【図１】本発明の実施例１に関わる全体構成を示すブロック図。
【図２】本発明の実施例１に関わる電源導入時の動作を示すフローチャート。
【図３】本発明の実施例１に関わるＥＥＰＲＯＭ上のデータを示す図。
【図４】本発明の実施例１に関わる動作を示すフローチャート。
【図５】本発明の実施例１に関わるリモコン信号のフォーマットを示す図。
【図６】本発明の実施例１に関わるリモコンデータテーブルを示す図。
【図７】本発明の実施例１に関わるＯＳＤ表示の表示例。
【図８】本発明の実施例２に関わる動作を示すフローチャート。
【図９】本発明の実施例２に関わるキーコードテーブルを示す図。
【図１０】本発明の実施例２に関わるＯＳＤ表示の表示例。
【符号の説明】
【００３４】
１０・・・リモコン
１１・・・リモコンコード切り替えスイッチ
１００・・・プロジェクタ本体、
１０１・・・バス
１０２・・・リモコン受光素子
１０３・・・リモコンコードデコード手段
１０４・・・操作キー
１０５・・・キーデコード手段
１０６・・・ＬＥＤ、
１０７・・・ＬＥＤ駆動手段
１０８・・・ＥＥＰＲＯＭ
１０９・・・ＲＡＭ
１１０・・・ＲＯＭ
１１１・・・映像信号処理手段、
１１２・・・ＯＳＤ重畳手段
１１３・・・ＣＰＵ
１１４・・・投射レンズ
１１５・・・電源ＳＷ
【図１】
2009239720.tif 000003
【図２】
2009239720.tif 000004
【図３】
2009239720.tif 000005
【図４】
2009239720.tif 000006
【図５】
2009239720.tif 000007
【図６】
2009239720.tif 000008
【図７】
2009239720.tif 000009
【図８】
2009239720.tif 000010
【図９】
2009239720.tif 000011
【図１０】
2009239720.tif 000012